(57)【要約】【課題】贈り物が届けられたタイミングでメッセージをメッセージ受信者に配信することを可能にする。【解決手段】メッセージと、当該メッセージの受信者とを記憶する記憶部と、宅配業者の端末から、受信者への荷物の配達完了を通知する配達完了データを受信する受信部と、配達完了データを受信した際に、保存された前記メッセージのうち対応するメッセージを受信者に配信する配信部と、を備える。【選択図】図１
2016045970.tif 000002
【特許請求の範囲】
【請求項１】
メッセージと、当該メッセージの受信者と、前記メッセージに関連する荷物の情報とを記憶する記憶部と、
宅配業者の端末から、前記荷物の配達完了を通知する配達完了データを受信する受信部と、
前記配達完了データを受信した後に、配達が完了した荷物に対応するメッセージを前記受信者に配信する配信部と、
を備えるメッセージ配信システム。
【請求項２】
前記記憶部は、前記メッセージを送信する送信日時を記憶し、
前記配信部は、前記送信日時を経過しても前記受信部が前記配達完了データを受信しなかった場合に、前記メッセージを前記受信者に配信することを特徴とする請求項１に記載のメッセージ配信システム。
【請求項３】
前記配信部は、
前記配達完了データを前記受信部が受信してから所定の時間を経過後に、前記メッセージを前記受信者に配信することを特徴とする請求項１または２に記載のメッセージ配信システム。
【請求項４】
コンピュータが、
メッセージと、当該メッセージの受信者と、前記メッセージに関連する荷物の情報とを記憶するステップと、
宅配業者の端末から、前記荷物の配達完了を通知する配達完了データを受信するステップと、
前記配達完了データを受信した後に、保存された前記メッセージのうち配達が完了した荷物に対応するメッセージを前記受信者に配信するステップと、
を実行する制御方法。
【請求項５】
記憶部を備えるコンピュータに、
前記記憶部に、メッセージと、当該メッセージの受信者と、前記メッセージに関連する荷物の情報とを記憶するステップと、
宅配業者の端末から、前記荷物の配達完了を通知する配達完了データを受信するステップと、
前記配達完了データを受信した後に、保存された前記メッセージのうち配達が完了した荷物に対応するメッセージを前記受信者に配信するステップと、
を実行させるためのプログラム。
【発明の詳細な説明】
【技術分野】
【０００１】
本発明は、メッセージ配信システム、メッセージ配信方法及びプログラムに関する。
【背景技術】
【０００２】
従来、ユーザがメッセージやマルチメディアコンテンツを送信することを可能とするインターネットアプリケーションに関する技術が多く見られている。例えば、特許文献１には、端末から受け取ったメッセージ及びコンテンツをデータ保存部に保存するとともに、それを閲覧するためのＵＲＬを記載した電子メールを各宛先に配信する、サーバ装置について開示されている。
【先行技術文献】
【特許文献】
【０００３】
【特許文献１】特開２００４−３５５４６６号公報
【発明の概要】
【発明が解決しようとする課題】
【０００４】
しかしながら、特許文献１に開示されたサーバ装置を用いた配信方法のような、従来の方法では、たとえば、贈り物に添えてメッセージを送りたい場合、贈り物がメッセージ受信者の手元に届くタイミングを見計らってメッセージを送信する必要がある。この場合、配達が遅れたり早まったりしてしまうと、本来メッセージを配信したかったタイミングとは異なるタイミングで配信されてしまう。
【０００５】
そこで、本発明は、上記事情に鑑み、贈り物が届けられたタイミングでメッセージをメッセージ受信者に配信することが可能なメッセージ配信システム、メッセージ配信方法及びそのプログラムを提供することを目的とするものである。
【課題を解決するための手段】
【０００６】
本発明の所定の実施形態に係るメッセージ配信システムは、メッセージと、当該メッセージの受信者と、メッセージに関連する荷物の情報とを記憶する記憶部と、宅配業者の端末から、荷物の配達完了を通知する配達完了データを受信する受信部と、配達完了データを受信した際に、保存された前記メッセージのうち配達が完了した荷物に対応するメッセージを受信者に配信する配信部と、を備えるものを含む。
【０００７】
「システム」とは、情報処理装置等から構成される、特定の機能をユーザに提供するためのシステムを含む。例えば、サーバ装置、クラウドコンピューティング形態のもの、ＡＳＰ（Ａｐｐｌｉｃａｔｉｏｎ  Ｓｅｒｖｉｃｅ  Ｐｒｏｖｉｄｅｒ）、クライアントサーバモデルのもの、などにより構成されるが、これに限られるものではない。
【０００８】
また、本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【０００９】
また、本明細書等において、「部」とは、単に物理的構成を意味するものではなく、その構成が有する機能をソフトウェアによって実現する場合も含む。また、１つの構成が有する機能が２つ以上の物理的構成により実現されても、２つ以上の構成の機能が１つの物理的構成により実現されてもよい。
【発明の効果】
【００１０】
本発明によれば、贈り物が届けられたタイミングでメッセージをメッセージ受信者に配信することが可能になる。
【図面の簡単な説明】
【００１１】
【図１】本発明の第１の実施形態におけるメッセージ配信システムによるメッセージ配信処理の概要を模式的に示す図である。
【図２】本発明の第１の実施形態におけるメッセージ配信システムのシステム構成図である。
【図３】本発明の第１の実施形態におけるメッセージ配信システムの処理の概要を示すシーケンス図である。
【図４】本発明の第１の実施形態におけるメッセージ配信処理のフローを示すチャートある。
【図５】本発明の第２の実施形態におけるメッセージ配信処理のフローを示すチャートある。
【発明を実施するための形態】
【００１２】
以下、本発明の実施の形態の１つについて詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。またさらに、必要に応じて示す上下左右等の位置関係は、特に断らない限り、図示の表示に基づくものとする。さらにまた、図面における各種の寸法比率は、その図示の比率に限定されるものではない。また、以下においては、理解を容易にするべく、情報処理装置を利用して本発明が実現される実施の形態を例にとって説明するが、上述の如く、本発明はそれに限定されない。
【００１３】
まず、図１を用いて本実施形態に係るメッセージ配信システム１０によるメッセージ配信処理の概要を説明する。図１は、メッセージ配信処理の一例を模式的に示す図である。本実施形態では、メッセージ配信システムを利用する際に、ユーザは会員登録を行うものとする。会員登録を行ったユーザには会員ＩＤが与えられ、専用の会員ページが会員ＩＤごとに作成されることが望ましい。本システムの会員であるユーザＵ０１は、当該システムを利用することで、メッセージをプレゼントの配達日時に合わせて、送信相手であるユーザＵ０２に配信するよう登録することができる。以下、メッセージを送信するユーザを送信ユーザ、送信ユーザのメッセージの送信相手であるユーザを受信ユーザと呼ぶ。なお、受信ユーザは本システムの会員であることが望ましいが、非会員であってもよい。
【００１４】
送信ユーザＵ０１は、受信ユーザＵ０２に贈りたいプレゼントの配達を宅配業者Ｕ０３に依頼するとともにプレゼントとともに閲覧して欲しいメッセージを本システムに登録する。プレゼントの配達依頼は本システムから行うことも可能である。
【００１５】
宅配業者Ｕ０３によってプレゼントが受信ユーザＵ０２に配達される（ＳＴＥＰ１）。このとき宅配業者Ｕ０３から配達完了の通知（以下、配達完了データとも呼ぶ）がメッセージ配信システム１０の後述するサーバ装置１００に贈られる（ＳＴＥＰ２）。サーバ装置１００は、この通知を受けて、登録されたメッセージを受信ユーザＵ０２に配信する（ＳＴＥＰ３）。
【００１６】
図２は、このようなメッセージ配信システム１０のシステム構成図を示している。図１に示すように、メッセージ配信システム１０は、サーバ装置１００、ユーザ端末２００及びハンディターミナル３００を含み得る。
【００１７】
サーバ装置１００は、インターネットや専用線等のネットワーク４００に接続されたサーバ用コンピュータである。また、このサーバ装置１００と同じく、ネットワーク４００に有線または無線で接続された端末装置であるクライアント端末２００とハンディターミナル３００が、互いに通信可能に設定されることにより、メッセージ配信システム１０を構成する。なお、本実施形態において、メッセージ配信システム１０は、サーバ装置１００とユーザ端末２００とハンディターミナル３００を含むものとして説明するが、これに限定されるものではない。例えば、メッセージ配信システム１０は、クラウドコンピューティング形式のシステムとして構成されてもよい。この場合、ユーザは、メッセージ配信システム１０のコンピュータ処理をネットワーク経由でサービスとして利用する。また、メッセージ配信システム１０は、ＡＳＰのサーバを含むシステムとして構成されてもよい。
【００１８】
ユーザ端末２００は、ネットワーク４００を介してサーバ装置１００と通信する機能を備えた情報処理装置である。具体的には、携帯電話やスマートフォン、ＰＣ、ＰＤＡ、タブレット等が挙げられるが、これに限られない。図２には図示しないが、ユーザ端末２００は、ＣＰＵ及びメモリを含む制御部、ネットワーク４００と接続するための通信部、ユーザからの操作を受け付けるタッチパネル等の入力部を表示する表示部、記録部等を備えている。
【００１９】
ハンディーターミナル３００は、ネットワーク４００を介してサーバ装置１００と通信する機能を備えた携帯型の端末装置である。本実施形態において、ハンディターミナル３００は、宅配業者が荷物の配達時に形態している端末装置をいう。宅配業者はハンディターミナル３００を用いてホストコンピュータから配達に関する情報を取得する。このホストコンピュータは、メッセージ配信システム１０外の装置であってもよい。さらに、宅配業者は、ハンディターミナル３００を用いて、配達完了時にサーバ装置に配達完了データを送信するよう構成されている。配達完了データには、配達した荷物の伝票番号、配達日時、荷物の受取人等が含まれていることが望ましい。
【００２０】
次に、サーバ装置１００の各構成について説明する。図２に示すように、サーバ装置１００は、入力部１１０と、制御部１２０と、記憶部１３０と、通信部１４０とを備えている。
【００２１】
入力部１１０は、サーバ装置１００の管理者からの操作を受け付けるように構成され、キーボードやマウス、タッチパネル等によって実現することができる。
【００２２】
制御部１２０は、ＣＰＵやＭＰＵなどの演算処理部１２１、ＲＡＭなどのメモリ１２２及び画像処理部（不図示）を備えている。演算処理部１２１は、各種入力に基づき、記憶部１３０に記録されたプログラムを実行することで、各種機能部を動作させるものである。このプログラムは、ＣＤ−ＲＯＭ等の記録媒体に記憶され、もしくはネットワーク４００を介して配布され、コンピュータにインストールされるものであってもよい。メモリ１２２は、サーバ用プログラム及びプログラムにおいて処理の実行中に、演算等に必要な各種データを、一時的に記憶するためのものである。
【００２３】
記憶部１３０は、ハードディスク等の記憶装置によって構成され、制御部１２０における処理の実行に必要な各種プログラムや、各種プログラムの実行に必要なデータ等を記録しておくものである。具体的には、記憶部１３０は、メッセージＤＢ１３１、メッセージ管理情報ＤＢ１３２及び会員情報ＤＢ１３３を有していることが望ましい。
【００２４】
メッセージＤＢ１３１には、メッセージの送信ユーザが登録したメッセージが保存されている。メッセージは、送信ユーザが受信ユーザに宛てたビデオレターや静止画のスライドショー、音声データ等のデジタルコンテンツや、手紙などのアナログのコンテンツを含む。送信ユーザは、クライアント端末２００を用いてメッセージをサーバ装置１００にアップロードすることができる。
【００２５】
メッセージ管理情報ＤＢ１３２には、メッセージを管理するための情報が保存されている。具体的には、送信ユーザの会員ＩＤ、そのメッセージの受信者となる受信ユーザの情報、メッセージと一緒に届ける荷物の伝票番号、メッセージの配信指定日時、自動配信指定日時、メッセージの再生回数等が登録されていることが望ましい。自動配信指定日時は、メッセージの配信指定日時を経過しても配達完了データを後述する受信部１２１１が受信しなかった場合に、メッセージを送信する日時をいう。自動配信指定日時は、送信ユーザが任意に設定可能としてもよいし、希望指定日時から特定の時間を経過した日時としてあらかじめ定められているものとしてもよい。なお、自動配信指定日時は、配信指定日時よりも前の時間に指定することができないように後述するメッセージ管理部１２１０によて制御されていることが望ましい。また、メッセージと一緒に届ける荷物の宛先は必ずしも受信ユーザと一致していなくてもよい。たとえば、子供の名前でプレゼントを配達し、当該プレゼントに対応するメッセージの受信ユーザはその親であってもよい。また、１つのメッセージに対応する受信ユーザは一人に限らない。たとえば、プレゼントを家族に一つ配達し、メッセージの受信ユーザを家族全員としもよい。
【００２６】
受信ユーザの情報は、当該受信ユーザがメッセージ配信システムに登録済みの場合は、会員ＩＤであることが望ましい。また、受信ユーザが非会員である場合には、非会員であることを示すフラグと、メールアドレスと、氏名とを含むことが望ましい。メッセージＤＢ１３１に登録されているメッセージとメッセージ管理情報ＤＢ１３２に登録されているメッセージ管理情報とは対応付けられて保存される。
【００２７】
会員情報ＤＢ１３３には、会員ユーザの情報が保存されている。具体的には、会員ＩＤ、メールアドレス、氏名、住所等が登録されていることが望ましい。
【００２８】
通信部１４０は、サーバ装置１００をネットワーク４００に接続するように構成される。例えば、通信部１４０は、ＬＡＮカード、アナログモデム、ＩＳＤＮモデム等、及び、これらをシステムバス等の伝送路を介して処理部と接続するためのインタフェースから実現することができる。
【００２９】
さらに、図２に示すように、演算処理部１２１は、機能部として、メッセージ管理部１２１０と、受信部１２１１と、配信部１２１２とを備えている。
【００３０】
メッセージ管理部１２１０は、送信ユーザからメッセージとメッセージに関連するメッセージ管理情報を受け付け、メッセージをメッセージＤＢ１３１に、メッセージ管理情報をメッセージ管理情報ＤＢ１３２に登録する。また、メッセージ管理部１２１０は、受信ユーザからメッセージの再生要求を受信し、当該メッセージの再生処理を行うことができる。本実施形態では、メッセージの登録・再生が行えるのは本システムの会員が会員ページにログイン中である場合に限定されるように制御される。そのため、受信ユーザが非会員である場合、まず会員登録を行う必要がある。非会員である受信ユーザが会員登録を行うと、メッセージ管理部１２１０は、メッセージ管理情報ＤＢ１３２に立てられた非会員フラグを削除して、受信ユーザの会員ＩＤを登録する。会員となった受信ユーザが、会員ページにログインして再生要求を行うと、メッセージ管理部１２１０は当該ユーザの会員ＩＤと、メッセージ管理情報ＤＢ１３２に登録されている受信ユーザの会員ＩＤとが一致するかを確認し、一致する場合に再生を許可することが望ましい。これによって、受信ユーザ以外のユーザがメッセージを再生することを防ぐことが可能になる。
【００３１】
受信部１２１１は、ハンディターミナル３００から、メッセージ受信者への荷物の配達完了を通知する配達完了データを、通信部１４０を介して受信する。受信部１２１１は、配達完了データから伝票番号を取得することが望ましい。
【００３２】
配信部１２１２は、受信部１２１１が配達完了データを受信した際に、保存されたメッセージのうち配達が完了した荷物に対応するメッセージを受信ユーザに配信する。具体的には、配信部１２１２はメッセージ管理情報ＤＢ１３２を参照し、受信部１２１１が取得した伝票番号を含むレコードを抽出し、受信ユーザを特定する。また、配信部１２１２はメッセージＤＢ１３１を参照し、抽出したレコードに対応するメッセージを抽出する。次に、配信部１２１２は、受信ユーザが会員である場合には、会員情報ＤＢ１３３に登録されている受信ユーザのメールアドレスに会員ページへのログイン用のＵＲＬを記載して、メッセージの再生を促す電子メールを送信する。一方で、受信ユーザが非会員である場合には、メッセージ管理情報ＤＢ１３２に登録されたメールアドレスに会員登録を促す電子メールを配信する。
【００３３】
また、配信部１２１２は、メッセージ管理情報ＤＢ１３２に記憶された送信部を経過しても受信部１２１２が配達完了データを受信しなかった場合に、メッセージを受信ユーザに配信することが望ましい。具体的には、配信部１２１２は、適宜メッセージ管理情報ＤＢ１３２を参照し、登録されている配信指定日時が経過しているレコードがあるか監視を行う。たとえば、配信指定日時が８月１日１８時〜２０時であり、自動配信指定日時が同日の２１時としてメッセージ管理情報ＤＢ１３２に登録されている場合を例に説明する。８月１日の２０時を経過しても当該レコードに対応する配達完了データを受信部１２１１が受信しない場合、配信部１２１２はこのレコードの自動配信指定日時を確認する。同日の２１時を経過していない場合、配信部１２１２はメッセージの配信を待機する。一方で、２１時を経過しても配達完了データを受信していない場合、配信部１２１２は、配達完了データの受信を待たずにメッセージの配信を行う。これによってたとえば、メッセージが誕生日のお祝い等、特定の日に配信する必要がある内容である場合、荷物の配達がなんらかの事情で遅れてしまっても、当日に配信することができる。また、一方で、配信部１２１２は、配信指定日時より前に、配達完了データを受信部１２１１が受信した場合、配達指定日時になるまでメッセージの配信を待機するとしてもよい。また、配信部１２１２は、配達完了データを受信部１２１１が受信してから所定の時間（以下、タイムラグとも呼ぶ）を経過後に、メッセージを受信者に配信することも可能である。この場合の所定の時間は、送信ユーザがメッセージ登録時に指定でき、メッセージ管理情報ＤＢ１３２に登録されることが望ましい。
【００３４】
図３は、このように構成された本実施形態におけるメッセージ配信システム１０の処理の概要を示すシーケンス図である。図３では、メッセージの送信ユーザＵ０1がクライアント端末２００Ａを操作し、受信ユーザＵ０２がクライアント端末２００Ｂを操作するものとして説明する。また、この例では受信ユーザＵ０２が荷物の受取人として説明するが、必ずしも受信ユーザＵ０２と荷物の受取人とが一致していなくてもよい。
【００３５】
まず、メッセージ配信システムの会員である送信ユーザＵ０1が、クライアント端末２００Ａを操作して、自身の会員ページにログインする。そして、会員ページ上で、受信ユーザＵ０２に送信したいメッセージをアップロードする（Ｓ１０１）。このとき、送信ユーザＵ０１は、メッセージと、メッセージの受信ユーザＵ０２の情報（会員ＩＤ、メールアドレス等）と配信指定日時と自動配信指定日時と、プレゼント配達に使われた伝票番号と送信ユーザＵ０１の会員ＩＤとを登録する。送信ユーザＵ０１の会員ＩＤは自動で取得されるものとしてもよい。メッセージの受信ユーザＵ０２の情報は、受信ユーザＵ０２が非会員である場合にはメールアドレス等の配信先を合わせて登録することが望ましい。
【００３６】
メッセージ登録要求を受信したサーバ装置１００のメッセージ管理部１２１０は、メッセージをメッセージＤＢ１３１に保存し、受信ユーザＵ０２の情報等をメッセージ管理情報ＤＢ１３２に保存する（Ｓ１０３）。
【００３７】
次に、宅配業者Ｕ０３によってプレゼントが受信ユーザＵ０２に配達された際に、この宅配業者Ｕ０３が利用するハンディターミナル３００は、サーバ装置１００の受信部１２１１に対して配達完了データを送信する（Ｓ２０１）。配達完了データには、配達した荷物の伝票番号が含まれていることが望ましい。
【００３８】
配達完了データを受信部１２１１が受信すると、配信部１２１２が伝票番号に対応するメッセージとメッセージ管理情報を検索する（Ｓ２０３）。配信部１２１２は、検索したメッセージ管理情報を用いて、特定した受信ユーザＵ０２に対して、メッセージの確認を促す電子メールを送信する（Ｓ３０１）。このとき、メッセージ管理ＤＢ１３２に、配達完了からメッセージ配信までのタイムラグが登録されていた場合には、登録されている期間が経過してからメッセージを配信することが望ましい。これによって、たとえば、食品をプレゼントとして贈った場合、食べ終わった頃を見計らってメッセージを配信することが可能となる。
【００３９】
この、メッセージを送信する際（Ｓ２０１〜Ｓ３０１）のサーバ装置１００の処理フローを詳細に図４を用いて説明する。図４はメッセージ送信処理のフローをの一例を示すフローチャートである。
【００４０】
サーバ装置１００の受信部１２１１は、配達完了データを受信した場合（Ｓ３１１：ＹＥＳ）、配信部１２１２にメッセージを送信するよう通知を行う。通知を受けた配信部１２１２は、受信部１２１１が受信した伝票番号に紐づくメッセージ管理情報をメッセージ管理情報ＤＢ１３２から抽出する。さらに配信部１２１２は、抽出したメッセージ管理情報に対応するメッセージをメッセージＤＢ１３１から取得する（Ｓ３１５）。次に、配信部１２１２は、取得したメッセージ管理情報に含まれる受信ユーザＵ０２の情報から、メッセージの受信者が会員か非会員かを判定する（Ｓ３１７）。受信ユーザＵ０２が会員である場合には、会員情報に基づいて、受信ユーザＵ０２に会員ページにログインして、メッセージの再生を促す電子メールを送信する（Ｓ３１９）。この電子メールには、会員ページへのＵＲＬが記載されているおことが望ましい。この会員ページのＵＲＬから受信ユーザＵ０２がログインする（Ｓ３２１）ことで、メッセージを再生することができる（Ｓ３２３）。
【００４１】
一方で、受信ユーザＵ０２が会員でない場合には、会員登録を促す電子メールを送信する（Ｓ４１９）。この電子メールには会員登録ページのＵＲＬが記載されていることが望ましい。会員でない受信ユーザＵ０２が会員登録ページのＵＲＬから当該ページにアクセスし、会員登録を行うと、サーバ装置１００は会員登録を受け付ける（Ｓ４２１）。会員登録完了後、受信ユーザＵ０２は、会員ページからメッセージを再生することができる（Ｓ３２３）。
【００４２】
また、Ｓ３１１において配達完了データを受信部１２１１が受信しておらず（Ｓ３１１：Ｎｏ）かつ、登録されている自動配信指定日時が経過している場合（Ｓ３１３：ＹＥＳ）、配信部１２１２は、配達完了データを受信部１２１１が受信するのを待たずにメッセージの配信処理を行う。これによって、たとえば、誕生日等の特定の日に配信すべきメッセージが、プレゼントの到着が遅延したことによって別の日に配信されることを防ぐことができる。このように、本実施形態にかかるメッセージ配信システム１０によれば、メッセージ受信者にプレゼントが配達されるタイミングで、メッセージを配信することが可能となる。
【００４３】
[第２の実施形態]
本発明の第２の実施形態について説明する。本実施形態では、メッセージ管理部１２１０は、受信ユーザＵ０２が非会員であったとしてもメッセージの再生を許可する。このとき、メッセージ管理部１２１０は、受信ユーザＵ０２が非会員の場合は再生回数に制限を設けることができる。具体的には、メッセージ管理部１２１０がメッセージの登録を受け付けた際に、受信ユーザが会員か否かを判定する。会員でない場合には、メッセージ管理情報ＤＢ１３２に非会員フラグを立て再生回数を記録し、再生回数が所定回数を超えると再生できないように制御する。会員ある場合は、第１の実施形態と同様である。
【００４４】
本実施形態におけるメッセージ配信処理の処理フローについて図５を用いて詳細に説明する。なお、図５のＳ５１１〜Ｓ５２３の処理については第１の実施形態の図４に示したメッセージ配信処理と同一であるため、説明を割愛する。
【００４５】
Ｓ５１７において、メッセージの受信ユーザＵ０２が会員でない場合、配信部１２１２は、メッセージの保存場所のＵＲＬを記載した電子メールを送信する（Ｓ６１９）。受信ユーザＵ０２が記載されたＵＲＬにアクセスすると、メッセージ再生要求がメッセージ管理部１２１０に送信される（Ｓ６２０：ＹＥＳ）。メッセージ管理部１２１０は、メッセージ管理情報ＤＢ１３２を参照し、当該メッセージの再生回数を確認する。メッセージの再生回数が所定の閾値未満である場合（Ｓ６２２：ＹＥＳ）には、メッセージ管理部１２１０は再生回数をプラス１した値に更新し、メッセージの再生を行う（Ｓ５２３）。
【００４６】
このように、本実施形態に係るメッセージ配信システム１０によると、受信ユーザＵ０２が会員でない場合、登録をさせることなくメッセージの再生を行わせることが可能となる。さらに、非会員ユーザのメッセージの再生回数に上限を設けることで、会員登録する動機づけを行うことができる。
その他の構成、機能、効果については第１の実施形態と同様である。
【００４７】
[その他の実施形態]
以上、本発明の実施形態について述べたが、本発明は既述の実施形態に限定されるものではなく、本発明の技術的思想に基づいて各種の変形及び変更が可能である。
【００４８】
例えば、既述の実施形態において、配信部１２１２はシステムにログインするためのＵＲＬやメッセージを閲覧するためのＵＲＬを電子メールに記載して配信する構成として説明したが、これに限定されない。たとえば、配信部１２１２は、メッセージを電子メールに添付して、直接配信するものであってもよい。
【符号の説明】
【００４９】
１０             メッセージ配信システム
１００           サーバ装置
１１０           入力部
１２０           制御部
１２１           演算処理部
１２１０         メッセージ管理部
１２１１         受信部
１２１２         配信部
１３０           記憶部
１３１           メッセージＤＢ
１３２           メッセージ管理情報ＤＢ
１３３           会員情報ＤＢ
１４０           通信部
２００Ａ、Ｂ     クライアント端末
３００           ハンディターミナル
【図２】
2016045970.tif 000003
【図３】
2016045970.tif 000004
【図４】
2016045970.tif 000005
【図５】
2016045970.tif 000006
【図１】
2016045970.tif 000007
【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
メッセージと、当該メッセージの受信者と、前記メッセージに関連する荷物の情報と、前記メッセージを配信する日時を示す配信指定日時と、当該配信指定日時以後の時刻であって前記メッセージを配信する日時を示す自動配信指定日時と、を記憶する記憶部と、
宅配業者の端末から、前記荷物の配達完了を通知する配達完了データを受信する受信部と、
前記配達完了データを受信した後に、配達が完了した荷物に対応するメッセージを前記記憶部から取得し、前記受信者に配信する配信部と、
を備え、
前記配信部は、
前記配信指定日時より前に前記配達完了データを受信した場合、前記配信指定日時になるまで待機してから前記メッセージを配信し、
前記自動配信指定日時を経過しても前記配達完了データを受信していない場合、前記配達完了データの受信を待たずに前記メッセージを配信し、
前記記憶部に配達完了からメッセージ配信までの所定の時間が登録されている場合には、前記配達完了データを前記受信部が受信してから前記所定の時間を経過後に、前記メッセージを配信する、
メッセージ配信システム。
【請求項２】
前記メッセージの再生回数を記録し、当該再生回数が所定回数を超えると再生できないように制御する、メッセージ管理部をさらに備えることを特徴とする請求項１に記載のメッセージ配信システム。
【請求項３】
前記メッセージは、ビデオレター、スライドショー、音声データなどのデジタルコンテンツを含むことを特徴とする請求項１又は２に記載のメッセージ配信システム。
【請求項４】
コンピュータが、
メッセージと、当該メッセージの受信者と、前記メッセージに関連する荷物の情報と、前記メッセージを配信する日時を示す配信指定日時と、当該配信指定日時以後の時刻であって前記メッセージを配信する日時を示す自動配信指定日時と、を記憶部に記憶するステップと、
宅配業者の端末から、前記荷物の配達完了を通知する配達完了データを受信するステップと、
前記配達完了データを受信した後に、配達が完了した荷物に対応するメッセージを前記記憶部から取得し、前記受信者に配信するステップと、
を実行し、
前記配信するステップは、
前記配信指定日時より前に前記配達完了データを受信した場合、前記配信指定日時になるまで待機してから前記メッセージを配信し、
前記自動配信指定日時を経過しても前記配達完了データを受信していない場合、前記配達完了データの受信を待たずに前記メッセージを配信し、
前記記憶部に配達完了からメッセージ配信までの所定の時間が登録されている場合には、前記配達完了データを前記受信部が受信してから前記所定の時間を経過後に、前記メッセージを配信するステップを含む、
制御方法。
【請求項５】
コンピュータに、
メッセージと、当該メッセージの受信者と、前記メッセージに関連する荷物の情報と、前記メッセージを配信する日時を示す配信指定日時と、当該配信指定日時以後の時刻であって前記メッセージを配信する日時を示す自動配信指定日時と、を記憶部に記憶するステップと、
宅配業者の端末から、前記荷物の配達完了を通知する配達完了データを受信するステップと、
前記配達完了データを受信した後に、配達が完了した荷物に対応するメッセージを前記記憶部から取得し、前記受信者に配信するステップと、
を実行させるためのプログラムであって、
前記配信するステップは、
前記配信指定日時より前に前記配達完了データを受信した場合、前記配信指定日時になるまで待機してから前記メッセージを配信し、
前記自動配信指定日時を経過しても前記配達完了データを受信していない場合、前記配達完了データの受信を待たずに前記メッセージを配信し、
前記記憶部に配達完了からメッセージ配信までの所定の時間が登録されている場合には、前記配達完了データを前記受信部が受信してから前記所定の時間を経過後に、前記メッセージを配信するステップを含む、
プログラム。